(57)【要約】【課題】居住スペースの採光に与える影響を低減することができる宅配ボックスを提供する。【解決手段】宅配ボックス２００は、各戸を隔てる界壁３０と共用廊下２０との交差部分に柱４０が設置された集合住宅１に、柱４０の共用廊下２０に面する面に沿うように設けられている。また、宅配ボックス２００は、柱４０の前記面に沿って設置されたトランクルーム１００内に設けられている。また、宅配ボックス２００は、大扉１２０が閉じた状態で共用廊下２０側から開閉可能な小扉２２０を具備する。【選択図】図１
2019054943.tif 000002
【特許請求の範囲】
【請求項１】
各戸を隔てる界壁と共用廊下との交差部分に柱が設置された集合住宅に、前記柱の前記共用廊下に面する面に沿うように設けられている、
宅配ボックス。
【請求項２】
前記柱の前記面に沿って設置された収納庫内に設けられている、
請求項１に記載の宅配ボックス。
【請求項３】
前記収納庫の扉が閉じた状態で前記共用廊下側から開閉可能な開閉扉を具備する、
請求項２に記載の宅配ボックス。
【請求項４】
前記開閉扉は、
前記収納庫の扉が閉じた状態で施錠可能に形成されている、
請求項３に記載の宅配ボックス。
【請求項５】
前記開閉扉は、
前記収納庫の扉が開くのと連動して開くように形成されている、
請求項３又は請求項４に記載の宅配ボックス。
【請求項６】
各戸を隔てる界壁と共用廊下との交差部分に柱が設置された集合住宅であって、
前記柱の前記共用廊下に面する面に沿うように宅配ボックスが設けられている、
集合住宅。
【請求項７】
一つの前記柱に対して、当該柱の両隣の２住戸分の宅配ボックスが設けられている、
請求項６に記載の集合住宅。
【請求項８】
前記柱は、
互いに隣接する前記交差部分の一方側に設置された第一の柱と、
互いに隣接する前記交差部分の他方側に設置された第二の柱と、
を具備し、
前記第一の柱の前記共用廊下に面する面に沿うように、当該第一の柱の両隣の２住戸分の宅配ボックスが設けられており、
前記第二の柱の前記共用廊下に面する面に沿うように、当該第二の柱の両隣の２住戸分のメーターボックスが設けられている、
請求項６又は請求項７に記載の集合住宅。
集合住宅。
【請求項９】
エントランスに設けられた玄関扉を施錠するオートロック装置と、
住人を呼び出すためのインターホンと、
を具備し、
前記インターホンによって前記住人の呼出があると、前記インターホンは前記住人が有する携帯端末と通信可能となる、
請求項６から請求項８までのいずれか一項に記載の集合住宅。
【請求項１０】
前記携帯端末によって前記玄関扉を開錠可能である、
請求項９に記載の集合住宅。
【発明の詳細な説明】
【技術分野】
【０００１】
本発明は、宅配ボックス及び宅配ボックスが設けられた集合住宅の技術に関する。
【背景技術】
【０００２】
従来、宅配ボックス及び宅配ボックスが設けられた集合住宅の技術は公知となっている。例えば、特許文献１に記載の如くである。
【０００３】
特許文献１には、マンション等の住居の玄関に設置された扉装置、及び当該扉装置に並設された多機能ユニット装置が記載されており、この多機能ユニット装置の内部に宅配ボックスが設けられることが記載されている。
【先行技術文献】
【特許文献】
【０００４】
【特許文献１】特開２０１１−５８２５０号公報
【発明の概要】
【発明が解決しようとする課題】
【０００５】
しかしながら、特許文献１に記載の宅配ボックスは、窓のある壁の前に設置された場合、居住スペースの採光に影響を与える可能性があるという問題があった。
【０００６】
本発明は以上の如き状況に鑑みてなされたものであり、居住スペースの採光に与える影響を低減することができる宅配ボックスを提供することである。
【課題を解決するための手段】
【０００７】
本発明の解決しようとする課題は以上の如くであり、次にこの課題を解決するための手段を説明する。
【０００８】
即ち、宅配ボックスは、各戸を隔てる界壁と共用廊下との交差部分に柱が設置された集合住宅に、前記柱の前記共用廊下に面する面に沿うように設けられているものである。
【０００９】
宅配ボックスは、前記柱の前記面に沿って設置された収納庫内に設けられているものであってもよい。
このような構成により、柱の前のスペースを有効利用することができる。
【００１０】
宅配ボックスは、前記収納庫の扉が閉じた状態で前記共用廊下側から開閉可能な開閉扉を具備するものであってもよい。
このような構成により、宅配業者に収納庫（宅配ボックス以外の部分）の中を見られることなく、荷物を受け取ることができる。
【００１１】
前記開閉扉は、前記収納庫の扉が閉じた状態で施錠可能に形成されているものであってもよい。
このような構成により、宅配業者が小扉２２０を施錠することができる。
【００１２】
前記開閉扉は、前記収納庫の扉が開くのと連動して開くように形成されているものであってもよい。
このような構成により、収納庫の扉を開けただけで、収納庫及び宅配ボックスの荷物を取り出すことができる。
【００１３】
集合住宅は、各戸を隔てる界壁と共用廊下との交差部分に柱が設置された集合住宅であって、前記柱の前記共用廊下に面する面に沿うように宅配ボックスが設けられているものである。
このような構成により、居住スペースの採光に与える影響を低減することができる。
【００１４】
集合住宅は、一つの前記柱に対して、当該柱の両隣の２住戸分の宅配ボックスが設けられているものであってもよい。
このような構成により、柱の前のスペースを有効利用して、２住戸分の宅配ボックスを設けることができる。
【００１５】
前記柱は、互いに隣接する前記交差部分の一方側に設置された第一の柱と、互いに隣接する前記交差部分の他方側に設置された第二の柱と、を具備し、前記第一の柱の前記共用廊下に面する面に沿うように、当該第一の柱の両隣の２住戸分の宅配ボックスが設けられており、前記第二の柱の前記共用廊下に面する面に沿うように、当該第二の柱の両隣の２住戸分のメーターボックスが設けられているものであってもよい。
このような構成により、柱の前のスペースを有効利用して、２住戸分の宅配ボックス及びメーターボックスを設けることができる。
【００１６】
集合住宅は、エントランスに設けられた玄関扉を施錠するオートロック装置と、住人を呼び出すためのインターホンと、を具備し、前記インターホンによって前記住人の呼出があると、前記インターホンは前記住人が有する携帯端末と通信可能となるものであってもよい。
このような構成により、宅配業者による荷物の配達時に住人が不在の場合、宅配業者は住人と通信することができるので、住人が配達業者にエントランスの玄関扉の開錠のための情報を伝える等により、宅配業者は宅配ボックスに荷物を配達することができる。
【００１７】
集合住宅は、前記携帯端末によって前記玄関扉を開錠可能であるものであってもよい。
このような構成により、宅配業者による荷物の配達時に住人が不在の場合、住人によってエントランスの玄関扉を開錠することができるので、宅配業者は宅配ボックスに荷物を配達することができる。
【発明の効果】
【００１８】
居住スペースの採光に与える影響を低減することができる。
【図面の簡単な説明】
【００１９】
【図１】本発明の一実施形態に係る集合住宅の一部を示した平面図。
【図２】本発明の一実施形態に係る宅配ボックスが設けられたトランクルームを示した正面図。
【図３】（ａ）小扉が開いた状態のトランクルームを示した斜視図。（ｂ）大扉が開いた状態のトランクルームを示した斜視図。
【図４】本発明の一実施形態に係る集合住宅の通信システムの構成を示したブロック図。
【発明を実施するための形態】
【００２０】
まず、図１を用いて、集合住宅１の構成について説明する。
【００２１】
集合住宅１は、例えばマンション等の、１棟の建物に複数の住戸が設けられたものである。以下では、図１に示すように、複数の住戸のうちの１つであるＡ住戸、当該Ａ住戸の一方側に隣接するＢ住戸、及び当該Ａ住戸の他方側に隣接するＣ住戸に着目して、説明を行う。集合住宅１は、居住スペース１０、共用廊下２０、界壁３０、柱４０、メーターボックス５０、トランクルーム１００及び宅配ボックス２００を具備する。
【００２２】
居住スペース１０は、住人（居住者）が生活する空間である。居住スペース１０は、各戸（各住戸）ごとに設けられる。各戸の居住スペース１０は、左右方向に並ぶように設けられる。
【００２３】
共用廊下２０は、各戸の住人が共同で使う共用部分にある廊下であって、集合住宅１のエントランスから各戸へ行くまでの廊下である。共用廊下２０は、各戸（Ａ住戸、Ｂ住戸及びＣ住戸）の前側に設けられる。
【００２４】
界壁３０は、互いに隣接する各戸の居住スペース１０を隔てる壁である。以下では、Ａ住戸とＢ住戸とを隔てる界壁を界壁３０ｂと称し、Ａ住戸とＣ住戸とを隔てる界壁を界壁３０ｃと称することもある。
【００２５】
柱４０は、各戸の四隅近傍に設けられる柱である。柱４０は、界壁３０の前後に設けられる。以下では、界壁３０ｂの前側に設けられる柱を柱４０ｂと称し、界壁３０ｃの前側に設けられる柱を柱４０ｃと称することもある。柱４０ｂ・４０ｃの前面は、共用廊下２０側に面するように設けられる。このようにして、柱４０ｂ・４０ｃはそれぞれ、界壁３０ｂ・３０ｃと共用廊下２０との交差部分に設置される。
【００２６】
メーターボックス５０は、電力量計、水道メーター、ガスメーター等を収納する空間を有するボックスである。メーターボックス５０は、柱４０ｂの前側に、柱４０ｂの前面に沿うように設けられる。メーターボックス５０には、界壁３０ｂの両隣の住戸、すなわちＡ住戸及びＢ住戸のガスメーター等が収納される。
【００２７】
トランクルーム１００は、主として、住人の所有物等の物を収納する収納庫である。トランクルーム１００は、柱４０ｃの前側に、柱４０ｃの前面に沿うように設けられる。柱４０ｃの前側には、界壁３０ｃの両隣の住戸のトランクルーム１００、すなわちＡ住戸のトランクルーム１００及びＣ住戸のトランクルーム１００が左右に並ぶように設けられる。
【００２８】
以下では、図２及び図３を用いて、トランクルーム１００の構成について説明する。左右に並設されるトランクルーム１００（Ａ住戸のトランクルーム１００及びＣ住戸のトランクルーム１００）は、左右対称に形成される。よって以下では、Ａ住戸のトランクルーム１００（右側のトランクルーム１００）について説明し、Ｃ住戸のトランクルーム１００（左側のトランクルーム１００）については説明を省略する。
【００２９】
トランクルーム１００は、内部に空間を有する箱状に形成される。トランクルーム１００は、トランクルーム室１１０及び大扉１２０を具備する。
【００３０】
図３（ｂ）に示すトランクルーム室１１０は、物を収納する部分（空間）であって、トランクルーム１００の内部空間の上部（当該内部空間の上側約２／３）を占める部分である。トランクルーム室１１０には、住人の所有物等を収納することができる。トランクルーム室１１０の前側には、物の投入口及び取出口となる開口部が形成される。トランクルーム室１１０は、固定棚１１１及び可動棚１１２を具備する。
【００３１】
図２及び図３（ｂ）に示す固定棚１１１は、トランクルーム室１１０の下端部（トランクルーム１００の内部空間の上下中途部）に設けられる棚である。固定棚１１１は、当該位置で、トランクルーム室１１０に固定される。
【００３２】
図２及び図３（ｂ）に示す可動棚１１２は、トランクルーム室１１０の上下中途部に設けられる棚である。可動棚１１２によって、トランクルーム室１１０は上下２つの部屋に分けられる。また、可動棚１１２は、トランクルーム室１１０を上下に移動可能に設けられる。これにより、トランクルーム室１１０の上下２つの部屋の広さを変えることができる。
【００３３】
大扉１２０は、トランクルーム室１１０の前側に設けられた開閉扉である。大扉１２０は、正面視において、トランクルーム１００の内部空間と概ね同じ大きさに形成される。大扉１２０は、トランクルーム室１１０の開口部、及び後述する宅配物収容室２１０の開口部を開閉するように設けられる。大扉１２０は、レバーハンドル１２１及び鍵穴１２２を具備する。
【００３４】
図２及び図３（ａ）に示すレバーハンドル１２１は、大扉１２０の開閉時に把持する部分である。住人は、レバーハンドル１２１を揺動させながら手前に引っ張ることで、大扉１２０を開くことができる。また、住人は、レバーハンドル１２１を把持して奥（後方）に押し込むことで、大扉１２０を閉めることができる。
【００３５】
図２及び図３（ａ）に示す鍵穴１２２は、鍵を挿入する部分である。鍵穴１２２は、大扉１２０に設けられた錠前の一部である。鍵穴１２２に住戸の玄関の鍵を差し込んでひねることによって、大扉１２０を施開錠することができる。
【００３６】
このように形成されるトランクルーム１００内には、宅配ボックス２００が設けられる。
【００３７】
宅配ボックス２００は、主として、居住者の不在時に宅配物（荷物）を保管しておくためのものである。宅配ボックス２００は、トランクルーム１００の下部に設けられる。宅配ボックス２００は、宅配物収容室２１０及び小扉２２０を具備する。
【００３８】
図３（ａ）及び（ｂ）に示す宅配物収容室２１０は、物を収容する部分（空間）であって、トランクルーム１００の内部空間の下部（当該内部空間の下側約１／３）を占める部分である。宅配物収容室２１０には、宅配物（荷物）を収容することができる。宅配物収容室２１０の前側には、宅配物（荷物）の投入口及び取出口となる開口部が形成される。前述の如く、当該開口部は、大扉１２０によって開閉可能に形成される。また、当該開口部は、後述する小扉２２０によって開閉可能に形成される。
【００３９】
小扉２２０は、宅配物収容室２１０の前側に設けられた開閉扉である。小扉２２０は、大扉１２０の下部に設けられる。より詳細には、小扉２２０は、宅配物収容室２１０と外部（共用廊下２０側）とを連通するように大扉１２０に設けられた開口部を、開閉するように設けられる。これにより、小扉２２０（より詳細には、宅配物収容室２１０の開口部）は、大扉１２０が開くのと連動して開くように形成されている。小扉２２０は、把持部２２１及びダイヤル錠２２２を具備する。
【００４０】
図２に示す把持部２２１は、小扉２２０の開閉時に把持する部分である。住人は、把持部２２１を把持して手前に引っ張ることで、小扉２２０を開くことができる。また、住人は、把持部２２１を把持して奥（後方）に押し込むことで、小扉２２０を閉めることができる。
【００４１】
図２に示すダイヤル錠２２２は、小扉２２０を施開錠するものである。ダイヤル錠２２２は、適宜設定された暗証番号にダイヤルを合わせない限り開錠できないように、小扉２２０を施錠することができる。
【００４２】
このように、各戸ごとに宅配ボックス２００が設けられることにより、複数の住戸で共用する宅配ボックスの数が限られている場合に、当該宅配ボックスの不足を緩和することができる。そして、宅配ボックス２００は、図１に示す如く柱４０の前に設けられているので、壁の窓を塞ぐことがない。よって、居住スペース１０の採光に与える影響を低減することができる。また、柱４０の前は、後から冷暖房等の取付工事が行われることがないので、柱４０の前に宅配ボックス２００を設けても、当該取付を妨げる心配がない。
【００４３】
また、宅配ボックス２００は、柱４０の前に設けられたトランクルーム１００内に設けられているので、トランクルーム１００の設置スペースとは別に宅配ボックス２００の設置スペースを設ける必要がない。このように、柱４０の前のスペースを有効利用することができる。
【００４４】
また、一つの柱４０の前に２住戸分の宅配ボックス２００（トランクルーム１００）が設けられ、一つの柱４０の前に２住戸分のメーターボックス５０が設けられているため、柱４０の前のスペースを有効利用して、２住戸分の宅配ボックス２００及びメーターボックス５０を設けることができる。
【００４５】
また、宅配業者は、宅配物（荷物）の配達の際、図３（ａ）に示すように、大扉１２０が閉じた状態で小扉２２０を開けることにより、宅配ボックス２００（宅配物収容室２１０）に宅配物（荷物）を投入することができる。よって、住人は、宅配業者にトランクルーム室１１０の中を見られることなく、荷物を受け取ることができる。
【００４６】
また、小扉２２０（のダイヤル錠２２２）は共用廊下２０側に露出しているので、大扉１２０が閉じた状態で、小扉２２０を施錠することができる。このように、大扉１２０を開けなくても小扉２２０を施錠することができるので、配達業者が小扉２２０を施錠することができる。
【００４７】
また、宅配物収容室２１０の開口部（取出口）は、小扉２２０を開けなくても大扉１２０を開けることで開放される。すなわち、宅配物収容室２１０の開口部（小扉２２０）は、大扉１２０が開くのと連動して開くように形成されている。したがって、住人は、図３（ｂ）に示すように、大扉１２０を開けただけで、トランクルーム室１１０内の物だけでなく、宅配物収容室２１０内の宅配物（荷物）を取り出すことができる。
【００４８】
なお、集合住宅１には、エントランスに設けられた玄関扉をオートロック（施錠）するオートロック装置６０と、住人を呼び出すためのインターホン７０が設けられている。図４に示すように、集合住宅１の通信システムにおいて、オートロック装置６０及びインターホン７０は、サーバー２を介して、住人が有する携帯端末３と通信可能に接続されている。インターホン７０によって住人の呼出があると、住人は、携帯端末３によって、訪問者（宅配業者）を映像で確認することができ、また音声での応答及びオートロックの解除が可能となる。
【００４９】
宅配業者は、集合住宅１の住人に宅配物（荷物）を配達するために、インターホン７０によって住人を呼び出す。住人が不在の場合には、インターホン７０は、住人が所有する携帯端末３に呼び出しを通知する。
【００５０】
住人は、携帯端末３によって宅配業者を映像で確認したうえで、エントランスの玄関扉のオートロックを開錠するための情報（暗証番号等）を宅配業者に伝えることができる。或いは、住人は、携帯端末３を操作し、エントランスの玄関扉を開錠（オートロック装置６０によるオートロックを解除）することができる。これにより、宅配業者は、住人の住戸前まで行くことができる。宅配業者は、宅配ボックス２００の小扉２２０を開けて、宅配物収容室２１０に宅配物（荷物）を投入する（収容させる）。宅配業者は、宅配業者の端末に通知される暗証番号や、宅配物（荷物）に付与される番号に基づいてダイヤル錠をセットすることで、小扉２２０を施錠する。これにより、宅配物（荷物）の宅配が完了する。
【００５１】
帰宅した住人は、住戸の玄関と共通の鍵を用いて大扉１２０を開錠し、大扉１２０を開ける。住人は、大扉１２０を開けることで、宅配物収容室２１０から宅配物（荷物）を取り出すことができる。その際、ダイヤル錠２２２の施錠はリセットされる。
【００５２】
このように、宅配業者は、オートロック装置が設けられた集合住宅１であっても、住戸前に設置された宅配ボックス２００に宅配物（荷物）を届けることができる。
【００５３】
以上の如く、本実施形態に係る宅配ボックス２００は、各戸を隔てる界壁３０と共用廊下２０との交差部分に柱４０が設置された集合住宅１に、前記柱４０の前記共用廊下２０に面する面に沿うように設けられているものである。
このように構成することにより、居住スペース１０の採光に与える影響を低減することができる。
【００５４】
また、本実施形態に係る宅配ボックス２００は、前記柱４０の前記面に沿って設置されたトランクルーム１００（収納庫）内に設けられているものである。
このように構成することにより、柱４０の前のスペースを有効利用することができる。
【００５５】
また、本実施形態に係る宅配ボックス２００は、前記トランクルーム１００の大扉１２０（扉）が閉じた状態で前記共用廊下２０側から開閉可能な小扉２２０（開閉扉）を具備するものである。
このように構成することにより、宅配業者にトランクルーム室１１０の中を見られることなく、荷物を受け取ることができる。
【００５６】
また、前記小扉２２０は、前記トランクルーム１００の大扉１２０が閉じた状態で施錠可能に形成されているものである。
このように構成することにより、宅配業者が小扉２２０を施錠することができる。
【００５７】
また、前記小扉２２０は、前記トランクルーム１００の大扉１２０が開くのと連動して開くように形成されているものである。
このように構成することにより、トランクルーム１００の大扉１２０を開けただけで、トランクルーム室１１０及び宅配物収容室２１０（宅配ボックス２００）の荷物を取り出すことができる。
【００５８】
また、本実施形態に係る集合住宅１は、各戸を隔てる界壁３０と共用廊下２０との交差部分に柱４０が設置された集合住宅１であって、前記柱４０の前記共用廊下２０に面する面に沿うように宅配ボックス２００が設けられているものである。
このように構成することにより、居住スペース１０の採光に与える影響を低減することができる。
【００５９】
また、本実施形態に係る集合住宅１は、一つの前記柱４０に対して、当該柱４０の両隣の２住戸分の宅配ボックスが設けられているものである。
このように構成することにより、柱４０の前のスペースを有効利用して、２住戸分の宅配ボックス２００を設けることができる。
【００６０】
また、前記柱４０は、互いに隣接する前記交差部分の一方側に設置された第一の柱４０ｃと、互いに隣接する前記交差部分の他方側に設置された第二の柱４０ｂと、を具備し、前記第一の柱４０ｃの前記共用廊下２０に面する面に沿うように、当該第一の柱４０ｃの両隣の２住戸分の宅配ボックス２００が設けられており、前記第二の柱４０ｂの前記共用廊下２０に面する面に沿うように、当該第二の柱４０ｂの両隣の２住戸分のメーターボックス５０が設けられているものである。
このように構成することにより、柱４０の前のスペースを有効利用して、２住戸分の宅配ボックス２００及びメーターボックス５０を設けることができる。
【００６１】
また、本実施形態に係る集合住宅１は、エントランスに設けられた玄関扉を施錠するオートロック装置６０と、住人を呼び出すためのインターホン７０と、を具備し、前記インターホン７０によって前記住人の呼出があると、前記インターホン７０は前記住人が有する携帯端末３と通信可能となるものである。
このように構成することにより、宅配業者による荷物の配達時に住人が不在の場合、宅配業者は住人と通信することができるので、住人が配達業者にエントランスの玄関扉の開錠のための情報を伝える等により、宅配業者は宅配ボックス２００に荷物を配達することができる。
【００６２】
また、本実施形態に係る集合住宅１は、前記携帯端末３によって前記玄関扉を開錠可能であるものである。
このように構成することにより、宅配業者による荷物の配達時に住人が不在の場合、住人によってエントランスの玄関扉を開錠することができるので、宅配業者は宅配ボックス２００に荷物を配達することができる。
【００６３】
なお、本実施形態に係るトランクルーム１００は、収納庫の実施の一形態である。
【００６４】
以上、本発明の一実施形態を説明したが、本発明は上記構成に限定されるものではなく、特許請求の範囲に記載された発明の範囲内で種々の変更が可能である。
【００６５】
例えば、本実施形態においては、宅配ボックス２００は、トランクルーム１００内に設けられるものとしたが、これに限定されるものではなく、メーターボックス５０内に設けられるものであってもよい。すなわち、収納庫は、メーターボックス５０であってもよい。
【００６６】
また、本実施形態においては、宅配物収容室２１０（宅配ボックス２００）がトランクルーム１００の下部に設けられ、トランクルーム室１１０がトランクルーム１００の上部に設けられものとしたが、宅配物収容室２１０がトランクルーム１００の上部に設けられ、トランクルーム室１１０がトランクルーム１００の下部に設けられものであってもよい。
【００６７】
また、本実施形態においては、隣接する各戸の収容室（トランクルーム室１１０及び宅配物収容室２１０）を左右に並設するものとしたが、上下に並設するものであってもよい。
【００６８】
また、本実施形態においては、大扉１２０は、住戸の玄関の鍵で施開錠できるものとしたが、住戸の玄関の鍵とは別の鍵で施開錠できるものであってもよい。
【符号の説明】
【００６９】
１      集合住宅
３      携帯端末
２０    共用廊下
３０    界壁
４０    柱
５０    メーターボックス
６０    オートロック装置
７０    インターホン
１００  トランクルーム
１２０  大扉
２００  宅配ボックス
２２０  小扉
【図１】
2019054943.tif 000003
【図２】
2019054943.tif 000004
【図３】
2019054943.tif 000005
【図４】
2019054943.tif 000006